(57)【要約】【課題】下半身に怪我を負った柔道家でも訓練が可能なトレーニング機器となる柔道練習装置、及びトレーニング機器を柔道練習装置とするための付属品を提供する。【解決手段】機体フレームの上部に、下方に向けて伸延させた左側揺動アームと右側揺動アームを揺動自在に枢設したローイングマシンに付属品を装着して柔道の練習を可能とした柔道練習装置とする。付属品は、柔道着における袖を模した筒状の袖布片と、柔道着における前襟を備えた前身頃を模した前身頃布片で構成する。袖布片には、左右側揺動アームに突設した棒状のハンドルを挿通可能とした筒状のハンドル挿入部を設け、左右側揺動アームに装着可能とする。前身頃布片には、面ファスナで互いに係合する第１の布片と第２の布片を設けるとともに、この第１の布片と第２の布片とにそれぞれ一端を固定装着した緊縛用の紐を複数対設け、左右側揺動アームに装着可能とする。【選択図】図２
0003112065.tif 000002
【実用新案登録請求の範囲】
【請求項１】
機体フレームの上部に、下方に向けて伸延させた左側揺動アームと右側揺動アームを揺動自在に枢設したローイングマシンに付属品を装着して柔道の練習を可能とした柔道練習装置であって、
前記付属品は、柔道着における袖を模した筒状の袖布片で構成し、袖布片の基端側には前記左側揺動アーム及び前記右側揺動アームに突設した棒状のハンドルを挿通可能とした筒状のハンドル挿入部を設けた柔道練習装置。
【請求項２】
機体フレームの上部に、下方に向けて伸延させた左側揺動アームと右側揺動アームを揺動自在に枢設したローイングマシンに付属品を装着して柔道の練習を可能とした柔道練習装置であって、
前記付属品は、柔道着における前襟を備えた前身頃を模した前身頃布片で構成し、この前身頃布片の前記前襟と対向する端縁には、面ファスナで互いに係合することにより前記左側揺動アームまたは前記右側揺動アームに巻き付け状態に固定可能とした第１の布片と第２の布片を設けるとともに、この第１の布片と第２の布片とにそれぞれ一端を固定装着した緊縛用の紐を複数対設けた柔道練習装置。
【請求項３】
機体フレームの上部に、下方に向けて伸延させた左側揺動アームと右側揺動アームを揺動自在に枢設したローイングマシンに付属品を装着して柔道の練習を可能とした柔道練習装置であって、
前記付属品は、柔道着における袖を模した筒状の袖布片と、柔道着における前襟を備えた前身頃を模した前身頃布片で構成し、
前記袖布片の基端側には前記左側揺動アーム及び前記右側揺動アームに突設した棒状のハンドルを挿通可能とした筒状のハンドル挿入部を設け、
前記前身頃布片の前記前襟と対向する端縁には、面ファスナで互いに係合することにより前記左側揺動アームまたは前記右側揺動アームに巻き付け状態に固定可能とした第１の布片と第２の布片を設けるとともに、この第１の布片と第２の布片とにそれぞれ一端を固定装着した緊縛用の紐を複数対設けた柔道練習装置。
【請求項４】
前記ハンドルは、前記左側揺動アーム及び前記右側揺動アームにそれぞれ少なくとも２本ずつ設けるとともに、前記袖布片には２つの前記ハンドル挿入部を設け、
しかも、この２つのハンドル挿入部は、前記袖布片の基端側開口を略矩形状とした場合に対向する１組の辺に沿ってそれぞれ設けたことを特徴とする請求項１または請求項３に記載の柔道練習装置。
【請求項５】
前記左側揺動アーム及び前記右側揺動アームにはそれぞれ中途部に屈曲部を設け、前記第１の布片及び前記第２の布片は前記屈曲部部分を被覆するように巻き付け、さらに、前記緊縛用の少なくとも１組の紐を前記前記屈曲部部分よりも上方側で緊縛するとともに、少なくとも１組の紐を前記前記屈曲部部分よりも下方側で緊縛するように構成したことを特徴とする請求項２または請求項３に記載の柔道練習装置。
【請求項６】
機体フレームの上部に、下方に向けて伸延させた左側揺動アームと右側揺動アームを揺動自在に枢設したローイングマシンに装着して柔道の練習を可能とする柔道練習用の付属品であって、
柔道着における袖を模した筒状の袖布片で構成し、袖布片の基端側には前記左側揺動アーム及び前記右側揺動アームに突設した棒状のハンドルを挿通可能とした筒状のハンドル挿入部を設けた柔道練習用の付属品。
【請求項７】
前記袖布片には、前記左側揺動アーム及び前記右側揺動アームにそれぞれ少なくとも２本ずつ設けたハンドルをそれぞれ挿入する２つの前記ハンドル挿入部を設けるとともに、
この２つのハンドル挿入部は、前記袖布片の基端側開口を略矩形状とした場合に対向する１組の辺に沿ってそれぞれ設けたことを特徴とする請求項６記載の柔道練習用の付属品。
【請求項８】
機体フレームの上部に、下方に向けて伸延させた左側揺動アームと右側揺動アームを揺動自在に枢設したローイングマシンに付属品を装着して柔道の練習を可能とする柔道練習用の付属品であって、
柔道着における前襟を備えた前身頃を模した前身頃布片で構成し、この前身頃布片の前記前襟と対向する端縁には、面ファスナで互いに係合することにより前記左側揺動アームまたは前記右側揺動アームに巻き付け状態に固定可能とした第１の布片と第２の布片を設けるとともに、この第１の布片と第２の布片とにそれぞれ一端を固定装着した緊縛用の紐を複数対設けた柔道練習用の付属品。
【請求項９】
前記第１の布片及び前記第２の布片は、前記左側揺動アーム及び前記右側揺動アームの中途部にそれぞれ設けた屈曲部部分を被覆するように巻き付け可能とし、
さらに、前記緊縛用の少なくとも１組の紐を前記前記屈曲部部分よりも上方側で緊縛可能とするとともに、少なくとも１組の紐を前記前記屈曲部部分よりも下方側で緊縛可能とするように構成したことを特徴とする請求項８記載の柔道練習用の付属品。
【考案の詳細な説明】
【技術分野】
【０００１】
本考案は柔道の練習に用いる柔道練習装置、及び柔道練習用の付属品に関するものである。
【背景技術】
【０００２】
従来、筋力の維持または増強などを目的としたトレーニング機器として、ローイングマシン、チェストプレス、レッグプレスなどの各種のトレーニング機器が知られている（例えば、特許文献１参照。）。
【０００３】
これらのトレーニング機器では、目的とする筋力の維持または増強に適合した運動を可能としており、利用者は各自の必要に応じて所要のトレーニング機器を選択して使用している。
【特許文献１】特開２００４−１８７７２３号公報
【考案の開示】
【考案が解決しようとする課題】
【０００４】
しかしながら、従来のトレーニング機器は、一般的に要求の高い部分の筋力の維持または増強を目的としているため、特定のスポーツで必要とされる特殊な筋力の維持または増強を図ることが困難となる場合があった。
【０００５】
具体的には、柔道では相手の柔道着を掴んでの動作が必要であり、手首の動きが極めて重要であるにもかかわらず、手首の動きを考慮したトレーニング機器が存在しないことにより、下半身を怪我した柔道家はその怪我が直るまで練習ができないために、下半身の運動機能が低下するだけでなく、上半身の運動機能、特に柔道着を掴むための握力、及び手首の動きに関連した筋力が低下し、本来の状態に回復するまでに多大な時間を要するという問題があった。
【０００６】
本発明者は、このように下半身に怪我を負った柔道家でも訓練が可能なトレーニング機器を提供すべく研究を行い、本発明を成すに至ったものである。
【課題を解決するための手段】
【０００７】
請求項１記載の柔道練習装置では、機体フレームの上部に、下方に向けて伸延させた左側揺動アームと右側揺動アームを揺動自在に枢設したローイングマシンに付属品を装着して柔道の練習を可能とした柔道練習装置であって、付属品は、柔道着における袖を模した筒状の袖布片で構成し、袖布片の基端側には左側揺動アーム及び右側揺動アームに突設した棒状のハンドルを挿通可能とした筒状のハンドル挿入部を設けた。
【０００８】
また、請求項２記載の柔道練習装置では、機体フレームの上部に、下方に向けて伸延させた左側揺動アームと右側揺動アームを揺動自在に枢設したローイングマシンに付属品を装着して柔道の練習を可能とした柔道練習装置であって、付属品は、柔道着における前襟を備えた前身頃を模した前身頃布片で構成し、この前身頃布片の前襟と対向する端縁には、面ファスナで互いに係合することにより左側揺動アームまたは右側揺動アームに巻き付け状態に固定可能とした第１の布片と第２の布片を設けるとともに、この第１の布片と第２の布片とにそれぞれ一端を固定装着した緊縛用の紐を複数対設けた。
【０００９】
また、請求項３記載の柔道練習装置では、機体フレームの上部に、下方に向けて伸延させた左側揺動アームと右側揺動アームを揺動自在に枢設したローイングマシンに付属品を装着して柔道の練習を可能とした柔道練習装置であって、付属品は、柔道着における袖を模した筒状の袖布片と、柔道着における前襟を備えた前身頃を模した前身頃布片で構成し、袖布片の基端側には左側揺動アーム及び右側揺動アームに突設した棒状のハンドルを挿通可能とした筒状のハンドル挿入部を設け、前身頃布片の前襟と対向する端縁には、面ファスナで互いに係合することにより左側揺動アームまたは右側揺動アームに巻き付け状態に固定可能とした第１の布片と第２の布片を設けるとともに、この第１の布片と第２の布片とにそれぞれ一端を固定装着した緊縛用の紐を複数対設けた。
【００１０】
また、請求項４記載の柔道練習装置では、請求項１または請求項３に記載の柔道練習装置において、ハンドルは、左側揺動アーム及び右側揺動アームにそれぞれ少なくとも２本ずつ設けるとともに、袖布片には２つのハンドル挿入部を設け、しかも、この２つのハンドル挿入部は、袖布片の基端側開口を略矩形状とした場合に対向する１組の辺に沿ってそれぞれ設けた。
【００１１】
また、請求項５記載の柔道練習装置では、請求項２または請求項３に記載の柔道練習装置において、左側揺動アーム及び右側揺動アームにはそれぞれ中途部に屈曲部を設け、第１の布片及び第２の布片は屈曲部部分を被覆するように巻き付け、さらに、緊縛用の少なくとも１組の紐を屈曲部部分よりも上方側で緊縛するとともに、少なくとも１組の紐を屈曲部部分よりも下方側で緊縛するように構成した。
【００１２】
また、請求項６記載の柔道練習用の付属品では、機体フレームの上部に、下方に向けて伸延させた左側揺動アームと右側揺動アームを揺動自在に枢設したローイングマシンに装着して柔道の練習を可能とする柔道練習用の付属品であって、柔道着における袖を模した筒状の袖布片で構成し、袖布片の基端側には左側揺動アーム及び右側揺動アームに突設した棒状のハンドルを挿通可能とした筒状のハンドル挿入部を設けて構成した。
【００１３】
また、請求項７記載の柔道練習用の付属品では、請求項６記載の柔道練習用の付属品において、袖布片には、左側揺動アーム及び右側揺動アームにそれぞれ少なくとも２本ずつ設けたハンドルをそれぞれ挿入する２つのハンドル挿入部を設けるとともに、この２つのハンドル挿入部は、袖布片の基端側開口を略矩形状とした場合に対向する１組の辺に沿ってそれぞれ設けた。
【００１４】
また、請求項８記載の柔道練習用の付属品では、機体フレームの上部に、下方に向けて伸延させた左側揺動アームと右側揺動アームを揺動自在に枢設したローイングマシンに付属品を装着して柔道の練習を可能とする柔道練習用の付属品であって、柔道着における前襟を備えた前身頃を模した前身頃布片で構成し、この前身頃布片の前襟と対向する端縁には、面ファスナで互いに係合することにより左側揺動アームまたは右側揺動アームに巻き付け状態に固定可能とした第１の布片と第２の布片を設けるとともに、この第１の布片と第２の布片とにそれぞれ一端を固定装着した緊縛用の紐を複数対設けて構成した。
【００１５】
また、請求項９記載の柔道練習用の付属品では、請求項８記載の柔道練習用の付属品において、第１の布片及び第２の布片は、左側揺動アーム及び右側揺動アームの中途部にそれぞれ設けた屈曲部部分を被覆するように巻き付け可能とし、さらに、緊縛用の少なくとも１組の紐を屈曲部部分よりも上方側で緊縛可能とするとともに、少なくとも１組の紐を屈曲部部分よりも下方側で緊縛可能とするように構成した。
【考案の効果】
【００１６】
請求項１記載の柔道練習装置では、ローイングマシンに柔道着における袖を模した筒状の袖布片を装着することによって容易に柔道練習装置とすることができ、下半身に怪我を負っていても袖布片を掴んでの引き動作などの練習を行うことができ、握力や腕力などの低下を防止できる。
【００１７】
請求項２記載の柔道練習装置では、ローイングマシンに柔道着における前襟を備えた前身頃を模した前身頃布片を装着することによって容易に柔道練習装置とすることができ、下半身に怪我を負っていても前身頃布片を掴んでの上半身の体捻転動作などの練習を行うことができ、背筋の低下や腰回りの体の回転動作の低下を防止できる。
【００１８】
請求項３記載の柔道練習装置では、ローイングマシンに柔道着における袖を模した筒状の袖布片と、柔道着における前襟を備えた前身頃を模した前身頃布片とを装着することによって容易に柔道練習装置とすることができ、下半身に怪我を負っていても袖布片及び前身頃布片を掴んでの上半身の動作練習を行うことができ、柔道において必要とされる筋力の低下が生じることを抑制できる。
【００１９】
請求項４記載の柔道練習装置では、請求項１または請求項３に記載の柔道練習装置において、ローイングマシンのハンドルは、左側揺動アーム及び右側揺動アームにそれぞれ少なくとも２本ずつ設けるとともに、袖布片には２つのハンドル挿入部を設け、しかも、この２つのハンドル挿入部は、袖布片の基端側開口を略矩形状とした場合に対向する１組の辺に沿ってそれぞれ設けたことによって、袖布片を左側揺動アームまたは右側揺動アームに強固に固定することができ、実際に人を相手に練習している状態に近づけることができる。
【００２０】
請求項５記載の柔道練習装置では、請求項２または請求項３に記載の柔道練習装置において、ローイングマシンの左側揺動アーム及び右側揺動アームにはそれぞれ中途部に屈曲部を設け、第１の布片及び第２の布片は屈曲部部分を被覆するように巻き付け、さらに、緊縛用の少なくとも１組の紐を屈曲部部分よりも上方側で緊縛するとともに、少なくとも１組の紐を屈曲部部分よりも下方側で緊縛するように構成したことによって、前身頃布片を左側揺動アームまたは右側揺動アームに強固に固定することができ、実際に人を相手に練習している状態に近づけることができる。
【００２１】
請求項６記載の柔道練習用の付属品では、ローイングマシンに装着して柔道の練習を可能とする柔道練習用の付属品であって、柔道着における袖を模した筒状の袖布片で構成し、袖布片の基端側には左側揺動アーム及び右側揺動アームに突設した棒状のハンドルを挿通可能とした筒状のハンドル挿入部を設けて構成したことによって、極めて容易にローイングマシンへの装着が行え、ローイングマシンを柔道練習装置として利用可能とする付属品を提供できる。
【００２２】
請求項７記載の柔道練習用の付属品では、請求項６記載の柔道練習用の付属品において、袖布片には、左側揺動アーム及び右側揺動アームにそれぞれ少なくとも２本ずつ設けたハンドルをそれぞれ挿入する２つのハンドル挿入部を設けるとともに、この２つのハンドル挿入部は、袖布片の基端側開口を略矩形状とした場合に対向する１組の辺に沿ってそれぞれ設けたことによって、袖布片を左側揺動アーム及び右側揺動アームに強固に装着可能とすることができる。
【００２３】
請求項８記載の柔道練習用の付属品では、ローイングマシンに装着して柔道の練習を可能とする柔道練習用の付属品であって、柔道着における前襟を備えた前身頃を模した前身頃布片で構成し、この前身頃布片の前襟と対向する端縁には、面ファスナで互いに係合することにより左側揺動アームまたは右側揺動アームに巻き付け状態に固定可能とした第１の布片と第２の布片を設けるとともに、この第１の布片と第２の布片とにそれぞれ一端を固定装着した緊縛用の紐を複数対設けて構成したことによって、極めて容易にローイングマシンへの装着が行え、ローイングマシンを柔道練習装置として利用可能とする付属品を提供できる。
【００２４】
請求項９記載の柔道練習用の付属品では、請求項８記載の柔道練習用の付属品において、第１の布片及び第２の布片は、左側揺動アーム及び右側揺動アームの中途部にそれぞれ設けた屈曲部部分を被覆するように巻き付け可能とし、さらに、緊縛用の少なくとも１組の紐を屈曲部部分よりも上方側で緊縛可能とするとともに、少なくとも１組の紐を屈曲部部分よりも下方側で緊縛可能とするように構成したことによって、前身頃布片を左側揺動アーム及び右側揺動アームに強固に装着可能とすることができる。
【考案を実施するための最良の形態】
【００２５】
本発明の柔道練習装置では、機体フレームの上部に、下方に向けて伸延させた左側揺動アームと右側揺動アームを揺動自在に枢設したローイングマシンに付属品を装着して柔道の練習を可能とした柔道練習装置としているものである。
【００２６】
付属品としては、柔道着における袖を模した筒状の袖布片、または柔道着における前襟を備えた前身頃を模した前身頃布片、またはその両方とすることができ、これらの付属品を柔道練習装置に装着することにより、下半身に怪我を負っていてもあたかも人を相手にしているかのように上半身を動かすことができ、上半身における所要の筋力において筋力低下が生じることを抑制できる。したがって、リハビリ期間の短縮化を図ることができ、速やかな復帰を図ることができる。
【００２７】
袖布片には、基端側に左側揺動アーム及び右側揺動アームに突設した棒状のハンドルを挿通可能とした筒状のハンドル挿入部を設けており、このハンドル挿入部にハンドルを挿通させることにより袖布片を左側揺動アーム及び／または右側揺動アームに装着可能としている。したがって、袖布片を極めて容易に左側揺動アーム及び／または右側揺動アームに装着することができる。
【００２８】
特に、袖布片には、左側揺動アーム及び右側揺動アームにそれぞれ少なくとも２本ずつ設けたハンドルをそれぞれ挿入する２つのハンドル挿入部を設けるとともに、この２つのハンドル挿入部を、袖布片の基端側開口を略矩形状とした場合に対向する１組の辺に沿ってそれぞれ設けることによって、袖布片を極めて容易に左側揺動アーム及び／または右側揺動アームに強固に装着できる。
【００２９】
また、前身頃布片には、前襟と対向する端縁に面ファスナで互いに係合することにより左側揺動アームまたは右側揺動アームに巻き付け状態に固定可能とした第１の布片と第２の布片を設け、さらに、この第１の布片と第２の布片とにそれぞれ一端を固定装着した緊縛用の紐を複数対設けて構成した。したがって前身頃布片を極めて容易に左側揺動アーム及び／または右側揺動アームに装着することができる。
【００３０】
特に、第１の布片と第２の布片は、左側揺動アーム及び右側揺動アームの中途部にそれぞれ設けた屈曲部部分を被覆するように巻き付け可能とし、しかも緊縛用の少なくとも１組の紐を屈曲部部分よりも上方側で緊縛可能とするとともに、少なくとも１組の紐を屈曲部部分よりも下方側で緊縛可能とするように構成したことによって、前身頃布片を極めて容易に左側揺動アーム及び／または右側揺動アームに強固に装着できる。
【００３１】
以下において、図面に基づいて本発明の実施形態を詳説する。図１は本実施形態の柔道練習装置の基体となるローイングマシンの概略図である。
【００３２】
本実施形態のローイングマシンでは、左右に離隔させて起立させた左側起立支柱11と右側起立支柱12、及びこの左右側起立支柱11,12の下端側に架設した架設フレーム13の中途部から前方に向けて伸延させて設けた基底フレーム14で構成した機体フレームを有し、左側起立支柱11及び右側起立支柱12にはそれぞれ上側部分に前側斜め上方に向けて左側支持フレーム15と右側支持フレーム16を突設し、この左右側支持フレーム15,16間に略水平に伸延させた第１軸受21と第２軸受22とを左右に並べて架設し、第１軸受21に下方に向けて伸延させた左側揺動アーム17を装着するとともに、第２軸受22に下方に向けて伸延させた右側揺動アーム18を装着して、左側揺動アーム17及び右側揺動アーム18を第１軸受21及び第２軸受22を中心として前後に揺動可能としている。
【００３３】
本実施形態では、左側起立支柱11及び右側起立支柱12は、一本のオーバル状鋼管を略Ｕ字状に屈曲させて形成しており、略Ｕ字状としたオーバル状鋼材を逆さにして起立させることにより左側起立支柱11及び右側起立支柱12とし、上端側に第１連結杆19を設けている。
【００３４】
また、左側支持フレーム15及び右側支持フレーム16も、一本のオーバル状鋼材を略Ｕ字状に屈曲させて形成しているものであり、略Ｕ字状としたオーバル状鋼材の端部を左側起立支柱11及び右側起立支柱12にそれぞれ連結して左側支持フレーム15及び右側支持フレーム16とし、上端側に第２連結杆25を設けている。第２連結杆25の中途部には、第１連結杆19の中途部に一端を連結した上部補助フレーム26の他端を連結し、上部補助フレーム26を第２連結杆25と第１連結杆19との間に架設して補強している。上部補助フレーム26は中途部で屈曲させており、第１連結杆19側では略水平状態とし、第２連結杆25側では左側支持フレーム15及び右側支持フレーム16と略平行となる傾斜状態としている。
【００３５】
左側揺動アーム17及び右側揺動アーム18の基端には、第１軸受21及び第２軸受22の回動軸の伸延方向と略直交する方向に回動軸を伸延させた第３軸受23及び第４軸受24を設け、この第３軸受23及び第４軸受24を介して左側揺動アーム17及び右側揺動アーム18を第１軸受21及び第２軸受22に連結している。したがって、左側揺動アーム17及び右側揺動アーム18を、前後方向に揺動可能とするとともに、左右方向にも揺動させることができる。
【００３６】
さらに、第１軸受21及び第２軸受22には、左側揺動アーム17及び右側揺動アーム18と略同一の方向に向けて左側補助アーム27及び右側補助アーム28を突設し、この左側補助アーム27によって、左側揺動アーム17が右側揺動アーム18側に達することを防止し、右側補助アーム28によって、右側揺動アーム18が左側揺動アーム17側に達することを防止している。
【００３７】
基底フレーム14の中途部には、左右側起立支柱11,12側に向けて傾倒させながら起立させた略Ｙ字状の下部補助フレーム29を立設しており、補助フレーム26における２つの上端を左側支持フレーム15及び右側支持フレーム16の基端側の下側部分に連結して、左側支持フレーム15及び右側支持フレーム16を支持している。
【００３８】
また、基底フレーム14の前端部分には、上端に座板31を装着した座板支持柱32を立設している。さらに、下部補助フレーム29には、座板31に着座した使用者の胸部に当接させるための胸当て板33を装着した胸当て板支持体34を前方に向けて略水平に突設している。
【００３９】
運動時における荷重は、左側起立支柱11と右側起立支柱12との間に配置した複数の平板状の重りブロック35で与えており、多段に重ねた重りブロック35の段数を調整することにより荷重調整を行うようにしている。
【００４０】
すなわち、最上段の重りブロック35の上部には重りブロック35を係止するための係止体37を設けており、係止体37には、図示しないが各重りブロック35を貫通する調整ピンを下方に向けて突設し、所定位置の重りブロック35と調整ピンとを係合させることにより荷重調整を可能としている。
【００４１】
重りブロック35と調整ピンとの係合は、各重りブロック35の側面から重りブロック35に挿入可能とした係止ピン（図示せず）の先端を調整ピンに挿入可能とするように調整ピンに係合孔（図示せず）を設け、係止ピンを介して重りブロック35と調整ピンとを係合させている。
【００４２】
なお、各重りブロック35は、架設フレーム13に立設した昇降ガイド36に貫挿されており、この昇降ガイド36にガイドされて昇降するようにしている。
【００４３】
係止体37の上部には第１滑車41を枢着しており、この第１滑車41には両端をそれぞれ下部補助フレーム29に繋着した帯紐38を掛回し、左側揺動アーム17及び右側揺動アーム18の揺動操作にともなって左側補助アーム27及び右側補助アーム28を揺動させることにより、左側補助アーム27及び右側補助アーム28によって帯紐38を引っ張るように構成して、係止体37に係架された重りブロック35を昇降させている。
【００４４】
すなわち、帯紐38は、一端を下部補助フレーム29に繋着し、左側補助アーム27の先端に枢着した第２滑車42に掛回して、第１連結杆19に枢着した第３滑車43に掛回した後に第１滑車41に掛回させ、さらに第１連結杆19に枢着した第４滑車44に掛回して、右側補助アーム28の先端に枢着した第５滑車45に掛回した後に下部補助フレーム29に端部を繋着している。
【００４５】
帯紐38は、本実施形態では、伸縮性の少ないゴム材で構成している。また、本実施形態では、左側揺動アーム17と右側揺動アーム18とはそれぞれ独立して揺動するようにしているが、左側揺動アーム17と右側揺動アーム18とを互いに連結して、左側揺動アーム17と右側揺動アーム18とが連動するようにしてもよい。
【００４６】
このように構成したローイングマシンにおいて、特に、左側揺動アーム17及び右側揺動アーム18は、所要の中途部分にそれぞれ屈曲部17L,18Lを設けて屈曲させている。
【００４７】
また、左側揺動アーム17及び右側揺動アーム18には、それぞれ先端部に左側揺動アーム17及び右側揺動アーム18の伸延方向に伸延させて第１ハンドル51を突設しており、さらに、左側揺動アーム17及び右側揺動アーム18には、左側揺動アーム17及び右側揺動アーム18にそれぞれ略直交させて先端側から第２ハンドル52と第３ハンドル53を外側方に向けて突設している。第２ハンドル52と第３ハンドル53とは互いに略平行としている。
【００４８】
上記したように構成したローイングマシンにおいて、図２に示すように、右側揺動アーム18に、柔道着における袖を模した筒状の袖布片60、及び柔道着における前襟を備えた前身頃を模した前身頃布片70を装着して柔道練習装置としている。なお、袖布片60及び前身頃布片70は、右側揺動アーム18に装着する場合だけでなく、左側揺動アーム17に装着してもよく、さらには左側揺動アーム17と右側揺動アーム18の両方にそれぞれ袖布片60と前身頃布片70、または袖布片60と前身頃布片70のいずれか一方を装着してもよい。
【００４９】
図３は袖布片60の平面図、図４は袖布片60の正面図、図５は袖布片60を右側揺動アーム18に装着した状態の平面図、図６は袖布片60を右側揺動アーム18に装着した状態の斜視図であり、図３〜６に示すように、袖布片60は、柔道着における袖を模した筒状の布体としている。特に、袖布片60は、柔道着に用いる布地と同一の布地を用い、手触り感あるいは指触り感に違和感が生じないようにしている。
【００５０】
袖布片60の基端側には、右側揺動アーム18に突設した棒状の第２ハンドル52及び第３ハンドル53を挿通可能とした筒状の第２ハンドル挿入部62-1及び第３ハンドル挿入部62-2を設けている。
【００５１】
第２ハンドル挿入部62-1と第３ハンドル挿入部62-2は、袖布片60の基端側開口を略矩形状とした場合に対向する１組の辺に沿ってそれぞれ設けている。
【００５２】
このように、第２ハンドル挿入部62-1及び第３ハンドル挿入部62-2に第２ハンドル52及び第３ハンドル53を挿入することにより袖布片60を右側揺動アーム18に装着することによって、極めて容易に袖布片60の装着を行うことができる。
【００５３】
特に、第２ハンドル挿入部62-1及び第３ハンドル挿入部62-2を、袖布片60の基端側開口を略矩形状とした場合に対向する１組の辺に沿って設けることにより、第２ハンドル挿入部62-1及び第３ハンドル挿入部62-2を、第２ハンドル52及び第３ハンドル53に強固に装着可能とすることができ、第２ハンドル52及び第３ハンドル53から第２ハンドル挿入部62-1及び第３ハンドル挿入部62-2を抜けにくくすることができるので、安全性を向上させることができる。
【００５４】
しかも、第２ハンドル52及び第３ハンドル53の表面には、スポンジ状のハンドルカバーを装着していることによって、このハンドルカバーが滑り止めとして機能することによっても、第２ハンドル挿入部62-1及び第３ハンドル挿入部62-2を、第２ハンドル52及び第３ハンドル53から抜けにくくすることができる。
【００５５】
また、袖布片60の基端側には、第２ハンドル挿入部62-1及び第３ハンドル挿入部62-2を、第２ハンドル52及び第３ハンドル53にそれぞれ挿入した際に、図５に示すように、右側揺動アーム18に掛け回して袖布片60を右側揺動アーム18に掛着するための補助帯63の一端を装着している。
【００５６】
補助帯63の一端には第１面ファスナ64を設けるとともに、補助帯63の他端には第１面ファスナ64と係合する第２面ファスナ65を設けており、第２ハンドル挿入部62-1及び第３ハンドル挿入部62-2を、第２ハンドル52及び第３ハンドル53にそれぞれ挿入した後、補助帯63を右側揺動アーム18に掛け回し、第１面ファスナ64と第２面ファスナ65とを係合さ競ることによって、補助帯63によっても袖布片60が右側揺動アーム18から脱落することを防止している。
【００５７】
図７は前身頃布片70の正面図、図８は前身頃布片70の説明用正面図、図９は前身頃布片70の右側揺動アーム18への装着方法の説明図、図１０も前身頃布片70の右側揺動アーム18への装着方法の説明図であり、図７〜１０に示すように、前身頃布片70は、柔道着における前襟71を備えた前身頃を模した１枚ものの布体としている。特に、前身頃布片70も、柔道着に用いる布地と同一の布地を用い、手触り感あるいは指触り感に違和感が生じないようにしている。
【００５８】
前身頃布片70には、前襟71と対向する端縁に、図８に示すように、右側揺動アーム18に巻き付け状態に固定可能とするための第１布片72-1と第２布片72-2を設けている。
【００５９】
第１布片72-1と第２布片72-2は、所要の大きさの布片であって、前身頃布片70の前襟71と対向する端縁にそれぞれ縫い付けている。なお、例えば第１布片72-1を前身頃布片70の一部分で構成し、所定位置に第２布片72-2の一端縁を縫い付けて、互いに重なる第１布片72-1と第２布片72-2を設けてもよい。
【００６０】
第１布片72-1及び第２布片72-2には、図８に示すように、右側揺動アーム18への巻き付けを行う際に巻き付け状態を維持しやすいように、互いに係合する第３面ファスナ75と第４面ファスナ76をそれぞれ所定位置に設けている。
【００６１】
さらに、第１布片72-1及び第２布片72-2には、図７及び図８に示すように、一端を第１布片72-1及び第２布片72-2にそれぞれ固定装着した緊縛用の第１紐73-1及び第２紐73-2を複数対設けている。
【００６２】
前身頃布片70を右側揺動アーム18に装着する場合には、図９に示すように、まず、第１布片72-1及び第２布片72-2を右側揺動アーム18の所定位置に巻き付け、第３面ファスナ75と第４面ファスナ76とを互いに係合させて固定する。
【００６３】
このとき、前身頃布片70の右側揺動アーム18への装着位置は、右側揺動アーム18の中途部に設けた屈曲部18Lの部分を被覆する位置としている。しかも、少なくとも１組の緊縛用の第１紐73-1と第２紐73-2が屈曲部18Lの部分よりも上方側に位置するとともに、少なくとも１組の緊縛用の第１紐73-1と第２紐73-2が屈曲部18Lの部分よりも下方側に位置するようにしている。
【００６４】
第３面ファスナ75と第４面ファスナ76を用いて第１布片72-1と第２布片72-2とを右側揺動アーム18に巻き付けた後、図１０に示すように、対応する第１紐73-1と第２紐73-2とを互いに結い合わせて緊縛している。
【００６５】
このように、屈曲部18Lの上下において第１紐73-1と第２紐73-2との緊縛を行うことにより、前身頃布片70を右側揺動アーム18に強固に装着でき、前身頃布片70が右側揺動アーム18から外れることを防止できる。
【００６６】
このようにローイングマシンに袖布片60と前身頃布片70を装着した柔道練習装置を用いて練習を行う場合には、使用者は座板31に着座して胸当て板33に胸部を押し当て、図１１に示すように、前身頃布片70を用いて引き込みの練習を行ったり、図１２に示すように、袖布片60と前身頃布片70とを用いて引き込みの練習を行ったりすることができる。
【００６７】
したがって、下半身に怪我を負っていても袖布片60及び前身頃布片70を掴んでの上半身の動作練習を行うことができるので、柔道において必要とされる筋力の低下が生じることを抑制できる。
【図面の簡単な説明】
【００６８】
【図１】本発明に係る柔道練習装置の基体となっているローイングマシンの斜視図である。
【図２】本発明に係る柔道練習装置の一実施形態の斜視図である。
【図３】袖布片の平面図である。
【図４】袖布片の正面図である。
【図５】袖布片を右側揺動アームに装着した状態の平面図である。
【図６】袖布片を右側揺動アームに装着した状態の斜視図である。
【図７】前身頃布片の正面図である。
【図８】前身頃布片の説明用正面図である。
【図９】前身頃布片の右側揺動アームへの装着方法の説明図である。
【図１０】前身頃布片の右側揺動アームへの装着方法の説明図である。
【図１１】柔道練習装置の使用状態説明図である。
【図１２】柔道練習装置の使用状態説明図である。
【符号の説明】
【００６９】
11    左側起立支柱
12    右側起立支柱
13    架設フレーム
14    基底フレーム
15    左側支持フレーム
16    右側支持フレーム
17    左側揺動アーム
18    右側揺動アーム
19    第１連結杆
21    第１軸受
22    第２軸受
23    第３軸受
24    第４軸受
25    第２連結杆
26    上部補助フレーム
27    左側補助アーム
28    右側補助アーム
29    下部補助フレーム
31    座板
33    胸当て板
35    重りブロック
36    昇降ガイド
37    係止体
38    帯紐
41    第１滑車
51    第１ハンドル
52    第２ハンドル
53    第３ハンドル
60    袖布片
62-1  第２ハンドル挿入部
62-2  第３ハンドル挿入部
63    補助帯
70    前身頃布片
71    前襟
72-1  第１布片
72-2  第２布片
73-1  第１紐
73-2  第２紐
75    第３面ファスナ
76    第４面ファスナ
【図１】
0003112065.tif 000003
【図２】
0003112065.tif 000004
【図３】
0003112065.tif 000005
【図４】
0003112065.tif 000006
【図５】
0003112065.tif 000007
【図６】
0003112065.tif 000008
【図７】
0003112065.tif 000009
【図８】
0003112065.tif 000010
【図９】
0003112065.tif 000011
【図１０】
0003112065.tif 000012
【図１１】
0003112065.tif 000013
【図１２】
0003112065.tif 000014